(57)【要約】      （修正有）【課題】Ｕ字状に折り曲げられたマット内に、ペットを載せた状態でショルダーベルトなどの持ち手を利用して搬送する場合でも、ペットの視界を十分に確保することができるとともに、ペットが不意に手足を動かしても、ペットが転落することのないペット介護用マットを提供する。【解決手段】Ｕ字状に折り曲げた際、両端に生じる開口部を閉止するための脱落防止部材３，３を矩形状のネット部材、もしくは平面形状が台形でかつ袋状を有するもので形成してペット介護用マット１とし、これら脱落防止部材によって、マット主体２の開口縁部を閉止し、もってマット主体２上に保持したペットを移送などに際して、マット主体から転落することを防止するものである。【選択図】図３
2015228846.tif 000002
【特許請求の範囲】
【請求項１】
マット主体をＵ字状に折り曲げた際、各端部に生じる開口部を閉止するための脱落防止部材が、前記マット主体の相対する側縁部にそれぞれ設けられていること
を特徴とするペット介護用マット。
【請求項２】
前記脱落防止部材は、
それぞれ矩形状をなし、互いの開口部を相対させる状態で、前記マット主体の相対する側縁部に設けられ、前記マット主体をＵ字状に折り曲げた際、前記開口部をマット主体の開口部側に反転させることによって、マット主体の開口部を閉止するよう構成されていること
を特徴とする請求項１に記載のペット介護用マット。
【請求項３】
前記脱落防止部材は、
伸縮性を有するネット部材で構成され、その開口部の縁部を、前記マット主体に対して接離自在とすることによって反転可能としたこと
を特徴とする請求項１に記載のペット介護用マット。
【請求項４】
前記脱落防止部材は、
平面が台形で、かつ袋状を有するものであって、前記マット主体の相対する側縁部に、その開口部が位置する状態でそれぞれ設けられていること
を特徴とする請求項１に記載のペット介護用マット。
【請求項５】
前記脱落防止部材は、
前記開口部の上縁に沿ってコードストッパが設けられていること
を特徴とする請求項４に記載のペット介護用マット。
【発明の詳細な説明】
【技術分野】
【０００１】
この発明は、犬や猫などのペットを介護するためのマットに関するものである。
より詳しくは、老齢や疾病、怪我などで自由に動くことのできないペットを、マットに載せて特定の場所から他の場所に移動させる際に、マット上のペットを落下させることなく、安全に搬送するためのペット介護用マットに関するものである。
【背景技術】
【０００２】
動物の介護用のマットとしては、例えば、実用新案登録第３１４３６５５号公報（特許文献１）では、ペットの体型や姿勢に合わせてクッションの態様を変化させて、ペットの身体を包み込むことができるペット用クッションが提案されている。
【０００３】
このペット用クッションは、
略矩形のカバー体の内部に緩衝部材が収容されたクッション本体を形成する一方、
前記カバー体の周縁近傍には、少なくとも各隅角部および対辺に止着片・・・を設け、
これらの止着片同士を止着して各部を合着可能に構成し、
前記カバー体の対辺同士に設けられた止着片を互いに止着結合させることによって、
前記クッション本体の上面に巻き囲いによる円筒型を形成可能にする一方、
同クッション本体のカバー体における、隣向する３つの隅角部の各止着片同士を互いに止着結合させることによって、
当該クッション本体の上面に３面を、略三角の囲壁に囲われる四角錐型を形成可能に構成するものである。
【０００４】
さらに、登録実用新案第３１６７２２３号公報（特許文献２）においては、
おもて地、ハニカム状クッション層及び裏面補強布を積層し、
前記おもて地と前記裏面補強布の周囲を縫合して、前記ハニカム状クッション層を包み込んでなり、前記裏面補強布の裏面に、その長手方向の１／２から振り分け位置にテープ状ロープを並行してループ状に縫い付けることで、持ち手を備える動物介護用持ち手付きマットとしたもので、
前記持ち手部分に装着される着脱自在な肩掛け用ベルトと、
前記おもて地の表面であって、その長手方向の１／２から振り分け位置にあり、内向きの開口部を有する袋状機構と、
を備える動物介護用手持ち付きマットが提案されている。
【０００５】
さらにまた、特開２０１３−０００８０号公報（特許文献３）に記載の動物介護用マットは、日常的に使用している動物用寝具を利用しつつ、介護対象の動物を飼い主などが一人で移動させることができるもので、
犬用寝具と同程度の広さのマットと、
前記マット裏面であって、該マット長手方向の中心付近について対称となる各位置にループ状に縫い付けた帯状ロープの、前記マットの短手方向両端からはみ出た部分である持ち手と、
前記マット表面長手方向の両端に設置され、ひっくり返すことで該マット裏面長手方向の両端に配置される袋状機構と、
前記マット短手方向の同じ側に備えられた、２つの前記持ち手に装着される肩掛け用ベルトを有するものである。
【先行技術文献】
【特許文献】
【０００６】
【特許文献１】実用新案登録第３１４３６５５号公報（請求項１，図４）
【特許文献２】登録実用新案第３１６７２２３号公報（請求項１，図２）
【特許文献３】特開２０１３−０００８０号公報（請求項１，図４）
【発明の概要】
【発明が解決しようとする課題】
【０００７】
前記特許文献１に記載のペット用クッションは、四周のコーナー部と相対する縁部に雌雄同体のホック部材からなる止着片が装着されているので、各止着片を止着結合させることによって、クッション本体の上面に、円筒状もしくは略三角の周壁に囲まれた四角錐型のクッション体を構成し、このクッション体でペットの身体を包み込むものである。
しかしながら、各止着片を止着結合が煩瑣であるとともに、使用に際しては、図３又は図６で明らかなように、少なくともペットの頭部を顕出させるための開口部を形成する必要がある。
【０００８】
さらに、図７に示されるように、内部にペットを収容した状態で持ち上げて移動させる場合、前記開口部からペットが転落する危険性を有し、図８に示すような状態でペットを収容した場合には、ペットは視界を塞がれて、自由に外を見ることができずにストレスを感じることになる。
さらにまた、飼い主も、搬送中のペットの状態を確認することができない。
【０００９】
特許文献２に記載の動物介護用持ち手付きマットは、マットの一方面に左右一対の袋状機構を、所要間隔を存して配置したものである。
かかる動物介護用持ち手付きマットは、使用に際して、マット上にペットを載せ、必要に応じて、ペットの前脚を前方に袋状機構に、後脚を後方の袋状機構にそれぞれ挿入させたのち、マットをＵ字状に折り曲げて内部にペットを保持した状態で、肩掛けベルトを利用して搬送するものである。
【００１０】
そのため、搬送中は、ペットを拘束しない場合は、Ｕ字状のマットの左右の端部は、いずれも解放された状態となるので、内部にペットを収容して持ち運ぶ際に、左右の開口部からペットが転落する危険性が大きい。
さらに、袋状機構を利用して、ペットの前後の脚部を拘束した場合には、ペットは自由に身体を動かすことができないので、大きなストレスを受けることになる。
【００１１】
同様に、特許文献３に記載の動物介護用マットも、マットの一方面に左右一対の袋状機構を、所要間隔を存して配置したものである。
したがって、当該マットを使用してペットを移動させる場合は、特許文献２が有すると同様の解決すべき課題を有するものである。
【００１２】
この発明はかかる現状に鑑み、Ｕ字状に折り曲げられたマット内に、ペットを載せた状態でショルダーベルトなどの持ち手を利用して搬送する場合でも、ペットの視界を十分に確保することができるとともに、ペットが不意に手足を動かしても、ペットが転落することのないペット介護用マットを提供せんとするものである。
【課題を解決するための手段】
【００１３】
前記目的を達成するため、この発明の請求項１に記載の発明は、
マット主体をＵ字状に折り曲げた際、各端部に生じる開口部を閉止するための脱落防止部材が、前記マット主体の相対する側縁部にそれぞれ設けられていること
を特徴とするペット介護用マットである。
【００１４】
この発明の請求項２に記載のペット介護用マットは、
請求項１に記載のペット介護用マットにおいて、
前記脱落防止部材は、
それぞれ矩形状をなし、互いの開口部を相対させる状態で、前記マット主体の相対する側縁部に設けられ、前記マット主体をＵ字状に折り曲げた際、前記開口部をマット主体の開口部側に反転させることによって、マット主体の開口部を閉止するよう構成されていること
を特徴とするものである。
【００１５】
この発明の請求項３に記載の発明は、
請求項１に記載のペット介護用マットにおいて、
前記脱落防止部材は、
伸縮性を有するネット部材で構成され、その開口部の縁部を、前記マット主体に対して接離自在とすることによって反転可能としたこと
を特徴とするものである。
【００１６】
この発明の請求項４に記載の発明は、
請求項１に記載のペット介護用マットにおいて、
前記脱落防止部材は、
平面が台形で、かつ袋状を有するものであって、前記マット主体の相対する側縁部に、その開口部が位置する状態でそれぞれ設けられていること
を特徴とするものである。
【００１７】
この発明の請求項５に記載のペット介護用マットは、
請求項４に記載のペット介護用マットにおいて、
前記脱落防止部材は、
前記開口部の上縁に沿ってコードストッパが設けられていること
を特徴とするペット介護用マットである。
【発明の効果】
【００１８】
この発明のペット介護用マットは、マット主体をＵ字状に折り曲げた際、各端部に形成される開口部を閉止する脱落防止部材が、前記マット主体の相対する側縁部にそれぞれ設けられているので、マット主体をＵ字状に折り曲げた際、前記脱落防止部材によって各開口部を閉止することができる。
したがって、マット主体内に収容されたペットは、ペット自身の前後方向への動きや持ち運びの際に生じる前後方向における反動などがあっても、前後に取付けられた脱落防止部材によって保護され、ペットがマットから転落する危険性は全くないものである。
【００１９】
さらに、前記各開口部が脱落防止部材でそれぞれ閉止されたマット主体は、常にＵ字状を保持するので、ペットを運搬中にペット介護用マットを床においても、ペット介護用マットが広がらないので再度持ち上げるのが容易なものである。
【００２０】
特に、この発明においては、脱落防止部材をネット状とすることによって、あるいは平面が台形でかつ袋状とすることによって、使用に際して、ペットの視界を確保することができるので、ペットに安心感を与えることができ、搬送中に生じ易い不要なストレスの発生を大幅に抑えることができる。
【００２１】
さらに、前記脱落防止部材を、平面が台形の袋体で構成し、その開口部にコードストッパを設けることによって、マット主体をＵ字状に折り曲げた際に生じる開口部を、前記コードストッパの操作によって簡単かつ容易に開閉することができる。
【図面の簡単な説明】
【００２２】
【図１】この発明にかかるペット介護用マットの一例を示す正面図である。
【図２】図１におけるペット介護用マットを折り曲げた状態を示す斜視図である。
【図３】図２に示されるペット介護用マットにおいて、脱落防止部材を反転させた状態を示す斜視図である。
【図４】この発明にかかるペット介護用マットの他の例を示す正面図である。
【図５】図４におけるペット介護用マットを折り曲げた状態を示す斜視図である。
【図６】図５に示されるペット介護用マットにおいて、脱落防止部材を反転させた状態を示す斜視図である。
【図７】この発明にかかるペット介護用マットのさらに他の例を示す正面図である。
【図８】この発明にかかるペット介護用マットのさらに他の例を示す正面斜視図である。
【図９】図８の背面斜視図である。
【図１０】図８に示すペット介護用マットに使用するショルダーベルトの斜視図である。
【図１１】図８の要部の拡大斜視図である。
【図１２】図８に示すペット介護用マットに使用するコードストッパの斜視図である。
【図１３】図８に示すコードストッパの機構の説明図である。
【図１４】図８に示すペット介護用マットの使用状態を示す説明図である。
【図１５】図８に示すペット介護用マットの最終的な使用状態を示す説明図である。
【発明を実施するための形態】
【００２３】
以下、この発明にかかるペット介護用マットの実施の一例を、添付の図面に基づいて具体的に説明する。
なお、この発明は、開示された実施例にのみ限定されるものではなく、発明の要旨を変更しない範囲内において、種々改良を加えることができるものである。
【００２４】
図１〜図７は、この発明のペット介護用マットの一実施形態を示すもので、ペット介護用マット１は、ペットを運搬するために使用することができるとともに、寝床用として使用することができるものである。
かかるペット介護用マット１は、マット主体２と、このマット主体２の相対する側縁部に取付けられる、開口縁部を反転させることが可能な一対の脱落防止部材３，３とで構成される。
【００２５】
前記マット主体２は、この実施例においては合成皮革製の方形のものを使用したが、その材質については特段の制限はないものの、ペットを運搬することもあるので、適用するペットの荷重に耐えられる程度の強度を有するものが好ましい。
なお、前記マット主体２は、使用に際して、ペットの排泄物による汚損を防止するために、Ｕ字状に折曲げられた内側に、別途吸水性マットなどを適宜取付けて使用することが好ましい。
【００２６】
前記脱落防止部材３は、ペットの視界を確保するためネット状であることが好ましく、その素材については特段の制限はないが、反転させて使用する観点からは、伸縮性を有するものであることが好ましい。
【００２７】
かかる脱落防止部材３は全体が矩形状をなすもので、互いの開口縁部３ａ，３ａを相対させた状態で、図１に示すように、前記マット主体２の相対する側縁部に、前記開口縁部３ａ以外の周縁部（三辺）を、縫着や接着などの適宜手段によってそれぞれ取付けるものである。
【００２８】
なお、前記脱落防止部材３のマット主体２への取付けは、図４に示すように、前記脱落防止部材３の開口縁部３ａと相対する他方の側端部を、前記マット主体２の側縁部に沿って取付けるとともに、前記側端部以外の周縁部（三辺）を、スナップボタンなどの止着具４によって係脱自在に取り付けてもよい。
【００２９】
かかる構成を採用した場合には、前記マット主体２に取付けられた脱落防止部材３の開口縁部３ａが不用意に捲れ上がることが防止され、ペットが脱落防止部材３に足を絡ませるおそれも無くすことができる。
【００３０】
なお、前記脱落防止部材３，３間に生じた空隙部には、図１又は図４に示すように、リング状の持ち手部が、端部の把手５ａ，５ｂがマット主体２の縁部から突出する状態で取付けられている。
【００３１】
図７は、この発明のペット介護用マットの他の例を示すものであって、方形のマット主体２２の四周の内側に、所要の幅を有するベルト部材２３を囲繞させ、当該ベルト部材２３の外側の側縁部を、縫付けや接着などの適宜手段でマット主体２２に取り付けるとともに、少なくとも相対する上下又は左右の取付け縁側から他端縁側に向けて、マット主体２の側縁部と直交する縫い目などの固定部Ｓによって、所要間隔で手持ち部２４を形成したものである。
なお、前記固定部Ｓを設けないベルト部材２３の側縁部も、当然のことながら手持ち部として利用することができる。
【００３２】
かかる構成を採用した場合には、前記脱落防止部材３，３は、前記持ち手部２４の内側に所要の間隔を存して配置されるもので、図１に示すような持ち手部５を設ける必要がなく、全体をよりスッキリした形状にすることができる。
【００３３】
以上述べたように、この発明のペット介護用マット１は、ペットの移動に際し、図２に示すように、前記マット主体２の脱落防止部材３，３が設けられた面を外側にしてＵ字状に折り曲げたのち、各脱落防止部材３の開口縁部３ａに指を掛け、図３に示すように、当該開口縁部３ａをマット主体２の開口部側に反転させれば、マット主体２の開口部が脱落防止部材３によって閉止される。
【００３４】
したがって、前記脱落防止部材３，３によって開口部が閉塞されたマット主体２は、常にＵ字状の形態を保持するので、ペットの介護などに際しては、脱落防止部材３，３が設けられた面を外側にした状態でペットをマット主体２上に載せたのち、前記マット主体２をＵ字状に折り曲げる。
【００３５】
しかるのち、前記脱落防止部材３，３の開口縁部３ａ，３ａをマット主体２の開口部側に反転させれば、マット主体２の両端に形成される開口部が、前記脱落防止部材３，３によって確実に閉止されるので、ペットを安定した状態でマット主体２上に保持し、持ち手部５を把持して所望の場所にペットを移動させることができる。
なお、Ｕ字状に保持された前記マット主体２を元の状態に戻すには、開口部を閉止する脱落防止部材３の開口縁部３ａを保持して元の位置に反転させればよい。
【００３６】
図８〜図１５は、この発明にかかるペット介護用マットの、さらに他の実施例を示すものである。
このペット介護用マット３１は、図８で明らかなように、矩形状のマット主体３２の相対する短辺に、脱落防止部材３３がそれぞれ設けられたものである。
前記脱落防止部材３３は、平面形状が台形でかつ袋状のものであって、その開口部が前記各短辺の上面側に位置させた状態で取付けられるとともに、前記各開口部の上縁部３３ａに沿ってコードストッパ３４が装着されたものである。（図１１参照）
【００３７】
前記マット主体３２の裏面は、図９で明らかなように、各コーナー部にそれぞれ持ち手部３５が設けられるとともに、長手方向で相対する側縁にもそれぞれ持ち手部３５が配置されたものである。
【００３８】
したがって、図１０に示される、平面Ｈ状のショルダーベルト３６の一方側のフック３６ａ，３６ａを同一短辺側に設けた持ち手部３５，３５に、反対側のフック３６ｂ，３６ｂを前記短辺と相対する短辺に設けた持ち手部３５，３５に係止させれば、マット主体３２をＵ字状に保持した状態で持ち上げ、移動させることができる。
なお、当然のことながら、長手方向に設けられた持ち手部３５，３５に対しても同様にしてショルダーベルト３６を使用することができる。
【００３９】
前記コードストッパ３４は、図１３に示されるように、筒状のケース３４ｃの内底面に配置されるバネ３４ｄと、このバネ３４ｄの付勢力によって、コード３４ａ，３４ｂの展開，固定を制御する制御部材３４ｅとで構成されたものである。
【００４０】
すなわち、図１３の上段側のようにバネ３４ｄが作動しているときは、コード３４ａ，３４ｂは固定され展開させることはできないが、その付勢力に抗してバネ３４ｄを圧縮させると、ケース３４ｃおよび制御部材３４ｅにそれぞれ形成した透孔が互いに合致し、コード３４ａ，３４ｂを展開又は引締めることができる。
【００４１】
したがって、図１４に示すように、前記マット主体３２を、前記袋状の脱落防止部材３３が下向きの状態でＵ字状に折り曲げれば、脱落防止部材３３はマット主体３２の外側に位置するので、この状態で前記コードストッパ３４を操作してコード３４ａ，３４ｂを引締めれば、図１５に示すように、マット主体３２の開口部を脱落防止部材３３によって閉止することができる。
【産業上の利用可能性】
【００４２】
この発明のペット介護用マットは、一対の脱落防止部材を相対させて設けた面を外側にした状態でＵ字状に折り曲げたのち、端部に形成された開口部を、それぞれ脱落防止部材によって閉止するよう構成されているので、ペットが搬送中にペット介護用マットから転落するおそれがなく、猫などの小動物の搬送にも使用することができる。
【符号の説明】
【００４３】
１，２１，３１  ペット介護用マット
２，２２，３２  マット主体
３，３３        脱落防止部材
３ａ            開口縁部
４              止着具
５，２４，３５  持ち手部
３４            コードストッパ
３４ａ，３４ｂ  コード
３６            ショルダーベルト
【図１】
2015228846.tif 000003
【図２】
2015228846.tif 000004
【図３】
2015228846.tif 000005
【図４】
2015228846.tif 000006
【図５】
2015228846.tif 000007
【図６】
2015228846.tif 000008
【図７】
2015228846.tif 000009
【図８】
2015228846.tif 000010
【図９】
2015228846.tif 000011
【図１０】
2015228846.tif 000012
【図１１】
2015228846.tif 000013
【図１２】
2015228846.tif 000014
【図１３】
2015228846.tif 000015
【図１４】
2015228846.tif 000016
【図１５】
2015228846.tif 000017